(57)【特許請求の範囲】
【請求項１】
押出方向に両端の開口する中空部を巾方向に複数形成した押出成形セメント板が、前記中空部の延在方向を上下方向にして、横目地空間、縦目地空間を隔てて上下左右に複数枚躯体に取り付けられる縦張り押出成形セメント板の等圧目地構造であって、
前記縦目地空間の室外側がガスケットによりシールされるとともに、室内側がシーリングによりシールされ、
前記横目地空間の室外側が止水部材により覆われるとともに、室内側が防風ガスケットによりシールされ、
前記横目地空間の底面で開口する前記中空部及び前記縦目地空間が押出成形セメント板の上端面に貼着された上部小口塞ぎシートによって塞がれ、
前記横目地空間の上面で開口する前記中空部が押出成形セメント板の下端面に貼着された下部小口塞ぎシートによって塞がれ、
前記横目地空間を分断する等圧区画ブロックが前記巾方向の略中央部に配設されることで前記横目地空間及び前記縦目地空間が逆Ｔ字形状の複数の等圧区画に画成されたことを特徴とする縦張り押出成形セメント板の等圧目地構造。
【請求項２】
前記止水部材が、開口を下向きにした断面コ字形状の二重弾性板からなり、
室外側の弾性板と室内側の弾性板には異なる位置で外気導入口が形成されていることを特徴とする請求項１記載の縦張り押出成形セメント板の等圧目地構造。
【請求項３】
垂直板の室外側面の上下略中央部から室外側に突出する水平板を有した断面横Ｔ字形状の重量受け部材の、前記水平板で前記押出成形セメント板の下端を支持し、
前記横目地空間の室内側をシールする前記防風ガスケットが上側押出成形セメント板の背面下端と前記垂直板の間に挟入されることを特徴とする請求項１又は請求項２記載の縦張り押出成形セメント板の等圧目地構造。
【請求項４】
前記横目地空間には、室外側の前端が上部小口塞ぎシートに覆われ、後部が前記上側押出成形セメント板の背面下端と前記垂直板の間に立ち上がる起立部を有した水切板が配設されたことを特徴とする請求項３記載の縦張り押出成形セメント板の等圧目地構造。
【請求項５】
前記水切板の前端上面には室外側に向かって上り傾斜となる水かえし板が付設されたことを特徴とする請求項４記載の縦張り押出成形セメント板の等圧目地構造。
【発明の詳細な説明】
【技術分野】
【０００１】
本発明は、縦張り押出成形セメント板の等圧目地構造に関し、特に、中空部を有し、押出方向の小口面に等圧空間を確保するための形状形成が困難な押出成形セメント板において、等圧目地構造を実現させる改良技術に関する。
【背景技術】
【０００２】
押出成形セメント板は、押し出し方向に連続する中空部を巾方向に複数有することで軽量であり、耐火性にも優れ、建築物の外壁材として多く用いられている。押出成形セメント板（以下、単に「パネル」とも称す。）を建築物に取り付ける場合、躯体に下地鋼材、重量受け部材を順に取り付け、パネルに取り付けられたＺクリップによってパネルを重量受け部材に取り付ける。押出成形セメント板同士の間には、押し出し方向、巾方向のいずれも目地（横目地、縦目地）が形成される。これら目地にはパッキング材が挿入された後、シーリング材が充填される。
【０００３】
目地にシーリングを施した場合、目地の補修は、室外側からのシーリング再打設となり、特に高層建築においては足場を容易に設けることができないため、メンテナンスが非常に困難となり、水密性能や気密性能の維持に問題があった。特に押出成形セメント板の場合は、薄厚であるとともに、軽量・高強度化のための中空部を有する形状特性上、耐久性の確保に必要なＷシール（プレキャストコンクリートパネルでは一般的であるシーリングの２層打設）が困難となった。このため、紫外線により１０〜２０年程度でシーリング材が劣化し、漏水などの問題が発生する虞があり、シーリングに２０年以上の耐久性確保が要求される高層建築物では、Ｗシールの困難な押出成形セメント板が使用されることは少なかった。
【０００４】
一方、室外側の目地にシーリング材を用いないシール構造として、目地内を等圧空間とする等圧目地構造がある。等圧空間とは、室外側の止水部材（レインバリア）と室内側の防風ガスケット（ウインドバリア）により形成された圧力制御用の空間であり、目地内を外気圧とほぼ等しい圧力とすることにより、気圧差による雨水の浸入を等圧効果により抑えるものである。外部シーリングを施さないこの種の構造として、特許文献１には、等圧目地構造に用いる押出成形セメント板が記載されている。この押出成形セメント板は横張りで用いるものであり、室外側のレインバリアと室内側のガスケットの間に等圧空間が形成される。
【０００５】
特許文献２には、ＰＣ板の等圧カーテンウォール構造が記載されている。この構造では、室外側のヒレ状ガスケットと室内側の中空ガスケットによって等圧空間が形成される。特許文献３には、カーテンウォールの雨仕舞い構造が記載されている。この構造では、室外側の止水部材と室内側のガスケットにより等圧空間が形成される。
【特許文献１】実開平７−１６８４１号公報
【特許文献２】実開平４−１０３９０９号公報
【特許文献３】特開平７−７６８８８号公報
【発明の開示】
【発明が解決しようとする課題】
【０００６】
しかしながら、上記従来技術による等圧空間目地構造は、いずれも等圧空間を確保するために、横目地において室内側から室外側に下る傾斜部を設け、この傾斜部を利用して等圧空間を確保していた。従って、横目地には予め等圧空間を形成するための形状を付与しておく必要があった。例えば特許文献１の等圧目地構造は、押出成形セメント板を予め等圧空間とする形状に押出成形するものである。ところが、押出成形セメント板では、等圧空間を形成するための形状を押出時に成形できるが、押出方向と平行な両側部の断面形状のみの成形であり、横張りをした際の横目地にしか適用できなかった。言い換えれば、押出成形セメント板は、押出時に等圧空間を確保するための形状を押出方向の小口面に成形できず、また、後から等圧空間の形状を加工することも困難であることから、縦張りでの等圧目地構造が困難とされてきた。このため、押出成形セメント板の縦張りにおいても等圧目地構造を実現可能としたい要請があった。
本発明は上記状況に鑑みてなされたもので、厚みが薄く等圧空間の確保が困難な押出成形セメント板であっても、充分な等圧空間が確保できる縦張り押出成形セメント板の等圧目地構造を提供し、もって、室外側シーリング再打設の制約を回避し、高層建築物に対する適用の実現を図ることを目的とする。
【課題を解決するための手段】
【０００７】
上記目的を達成するための本発明に係る請求項１記載の縦張り押出成形セメント板の等圧目地構造は、押出方向に両端の開口する中空部を巾方向に複数形成した押出成形セメント板が、前記中空部の延在方向を上下方向にして、横目地空間、縦目地空間を隔てて上下左右に複数枚躯体に取り付けられる縦張り押出成形セメント板の等圧目地構造であって、
前記縦目地空間の室外側がガスケットによりシールされるとともに、室内側がシーリングによりシールされ、
前記横目地空間の室外側が止水部材により覆われるとともに、室内側が防風ガスケットによりシールされ、
前記横目地空間の底面で開口する前記中空部及び前記縦目地空間が押出成形セメント板の上端面に貼着された上部小口塞ぎシートによって塞がれ、
前記横目地空間の上面で開口する前記中空部が押出成形セメント板の下端面に貼着された下部小口塞ぎシートによって塞がれ、
前記横目地空間を分断する等圧区画ブロックが前記巾方向の略中央部に配設されることで前記横目地空間及び前記縦目地空間が逆Ｔ字形状の複数の等圧区画に画成されたことを特徴とする。
【０００８】
この縦張り押出成形セメント板の等圧目地構造では、等圧区画ブロックによって左右の閉塞された横目地空間と、その中央部で接続された上方に延在するパネル一枚分の縦目地空間で、逆Ｔ字形状の等圧区画が形成される。横目地空間は、室外側が止水部材で覆われるのみで、外気の流通が許容されることから、横目地空間及び縦目地空間は外部と等圧となる。したがって、目地内が負圧となることによる雨水の流入が生じない。また、万が一目地内に雨水が流入しても、縦目地空間においては室内側のシーリング、横目地空間においては室内側の防風ガスケットにより浸入が阻止される。これにより、厚みが薄く等圧空間の確保が困難な押出成形セメント板であっても、等圧効果の得られる充分な等圧空間が確保される。
【０００９】
請求項２記載の縦張り押出成形セメント板の等圧目地構造は、前記止水部材が、開口を下向きにした断面コ字形状の二重弾性板からなり、
室外側の弾性板と室内側の弾性板には異なる位置で外気導入口が形成されていることを特徴とする。
【００１０】
この縦張り押出成形セメント板の等圧目地構造では、横目地空間への外気の導入を可能にしつつ、室外側の弾性板と室内側の弾性板に、例えば水平方向の異なる位置で外気導入口が形成されることで、トラップ構造が形成され、雨水の直接的な浸入が阻止される。
【００１１】
請求項３記載の縦張り押出成形セメント板の等圧目地構造は、垂直板の室外側面の上下略中央部から室外側に突出する水平板を有した断面横Ｔ字形状の重量受け部材の、前記水平板で前記押出成形セメント板の下端を支持し、
前記横目地空間の室内側をシールする前記防風ガスケットが上側押出成形セメント板の背面下端と前記垂直板の間に挟入されることを特徴とする。
【００１２】
この縦張り押出成形セメント板の等圧目地構造では、押出成形セメント板の下端を支持する重量受け部材の上面部分が、横目地空間を画成するための隔壁として利用され、横目地における等圧空間が簡素な構造で形成可能となる。
【００１３】
請求項４記載の縦張り押出成形セメント板の等圧目地構造は、前記横目地空間には、室外側の前端が上部小口塞ぎシートに覆われ、後部が前記上側押出成形セメント板の背面下端と前記垂直板の間に立ち上がる起立部を有した水切板が配設されたことを特徴とする。
【００１４】
この縦張り押出成形セメント板の等圧目地構造では、起立部を有する水切板が横目地空間に配置されることで、外部から横目地空間へ浸入し、それ以上室内側へ流入しようとする雨水の流入抵抗を増大させることができる。
【００１５】
請求項５記載の縦張り押出成形セメント板の等圧目地構造は、前記水切板の前端上面には室外側に向かって上り傾斜となる水かえし板が付設されたことを特徴とする。
【００１６】
この縦張り押出成形セメント板の等圧目地構造では、水切板に到達する前に、その前端上面で室外側に向かって上り傾斜となる水かえし板が起立していることで、外部から横目地空間へ浸入する流速の速い浸入水も跳ね返されて水切板へ到達し難くなり、奥側への雨水流入阻止作用がさらに高まる。
【発明の効果】
【００１７】
本発明に係る縦張り押出成形セメント板の等圧目地構造によれば、縦目地空間をガスケット、シーリングによりシールするとともに、横目地空間を止水部材、ガスケットによりシールし、横目地空間底面で開口する中空部及び縦目地空間を上部小口塞ぎシート、横目地空間上面で開口する中空部を下部小口塞ぎシートによって塞ぎ、等圧区画ブロックを横目地空間の巾方向略中央部に配設することで横目地空間及び縦目地空間を逆Ｔ字形状の複数の等圧区画に画成するので、厚みが薄く等圧空間の確保が困難な押出成形セメント板であっても、等圧効果の得られる充分な等圧空間が確保できる。この結果、室外側シーリング再打設の制約を回避（シーリングフリーとし）し、高層建築物に対する適用を実現できる。
【発明を実施するための最良の形態】
【００１８】
以下、本発明に係る縦張り押出成形セメント板の等圧目地構造の好適な実施の形態を図面を参照して説明する。
図１は本発明に係る等圧目地構造の縦断面図、図２は本発明に係る等圧目地構造の横断面図、図３は異なる巾寸法の押出成形セメント板を（ａ）（ｂ）で示した断面図である。
本実施の形態による等圧目地構造は、押出成形セメント板が縦張りで採用される。躯体１１に補強プレート１３で補強されたＬ型アングル（ピース）１５が一定間隔で取り付けられ、このＬ型アングル１５に重量受け部材であるＴ型アングル１７がパネル巾方向に通しで取り付けられている。Ｔ型アングル１７は、垂直板（下側の辺１７Ｄ，上側の辺１７Ｕ）の室外側面の上下略中央部から室外側に突出する水平板１７Ｖで押出成形セメント板２１の下端を支持する。
【００１９】
押出成形セメント板２１には押し出し方向に延在する中空部２３が形成される。中空部２３は、受け金物２５の挿入されるものが他の中空部２３と異なる断面形状の中空部２３Ａとなっている。図３（ａ）に示す長巾（Ｗ１＝１１８５ｍｍ）のパネル２１Ａには３つの中空部２３Ａが形成され、図３（ｂ）に示す短巾（Ｗ２＝８８５ｍｍ）のパネル２１Ｂには２つの中空部２３Ａが形成される。なお、図３中、２４はパネル脱落防止用のワイヤを示す。
【００２０】
中空部２３Ａには、受け金物２５が挿入され、固定ボルト２７を介してクリップ２９が裏面側に取り付けられている。下側のパネル２１Ｄの上部は、上部クリップ２９Ｕで、Ｔ型アングル１７の下側の辺１７Ｄを挟持し取り付けられる。上側のパネル２１Ｕの下部は、下部クリップ２９Ｄで、Ｔ型アングル１７の上側の辺１７Ｕを挟持し取り付けられる。
【００２１】
縦張りパネル２１の等圧目地構造では、中空部２３の延在方向を上下方向にして複数のパネル２１が取り付けられ、横目地空間ＨＳ、縦目地空間ＶＳが形成される。図３に示すように、パネル両端の嵌合部には凹凸部３１，３３が形成され、凹側内部に設けられた凹溝３１ａと、凸側頂部に設けられた凹溝３３ａにより図２に示す縦目地空間ＶＳの等圧空間３５を形成するようになっている。縦目地空間ＶＳは、室外側がガスケット３７によりシールされるとともに、室内側がシーリング３９によりシールされる。図中、４１は不燃パッキング（セラミックウール）を示す。
【００２２】
図４は止水部材の斜視図である。
横目地空間ＨＳは、室外側が止水部材４３により覆われるとともに、室内側が防風ガスケット４５によりシールされる。止水部材４３は、上側のパネル２１Ｕの下面に装着される。止水部材４３は、開口を下向きにした断面コ字形状の二重弾性板４３ａ，４３ｂからなり、室外側の弾性板４３ａと室内側の弾性板４３ｂには異なる位置で外気導入口４７，４９が形成されている。これにより、横目地空間ＨＳへの外気の導入を可能にしつつ、水平方向の異なる位置で外気導入口４７，４９が形成されることで、トラップ構造が形成され、雨水の直接的な浸入が阻止されている。
【００２３】
図５は水切板及び等圧区画ブロックの斜視図である。
横目地空間ＨＳの底面で開口する中空部２３，２３Ａ及び縦目地空間ＶＳは下側のパネル２１Ｄの上端面に貼着された上部小口塞ぎシート５１によって塞がれる。横目地空間ＨＳには水切板５３が水平板１７Ｖに載置されて設けられている。水切板５３は、室外側の前端５３ａがスポンジ部材であるパッキング材（ＥＰＤＭスポンジ）５５を介して下側のパネル２１Ｄの上面に密着し、後部が上側のパネル２１Ｕの背面下端と上側の辺１７Ｕの間に立ち上がる起立部５３ｂを有している。水切板５３は、室外側の前端５３ａが上部小口塞ぎシート５１に覆われる。上部小口塞ぎシート５１は、パッキング材５５の前面に沿うよう垂下して折り曲げられ、パッキング材５５の下端で水平に再度折り曲げられ、中空部２３，２３Ａを塞ぐ。また、横目地空間ＨＳの上面で開口する中空部２３，２３Ａは上側のパネル２１Ｕの下端面に貼着された下部小口塞ぎシート５７によって塞がれる。起立部５３ｂを有する水切板５３が横目地空間ＨＳに配置されることで、外部から横目地空間ＨＳへ浸入し、それ以上室内側へ流入しようとする雨水の流入抵抗を増大させることができる。
【００２４】
また、水切板５３の前端上面には室外側に向かって上り傾斜となる水かえし板５９が付設されている。水切板５３に到達する前に、その前端上面で室外側に向かって上り傾斜となる水かえし板５９が起立していることで、外部から横目地空間ＨＳへ浸入する流速の速い浸入水も跳ね返されて水切板５３へ到達し難くなり、奥側への雨水流入阻止作用がさらに高められている。
【００２５】
水切板５３の上側には、上側のパネル２１Ｕの両端下部を支えるための硬質パッキング材（ピース）６１（図６参照）が取付けられる。また、水切板３３の起立部５３ｂには、上部クリップ２９Ｄが締め付けられる部分に硬質パッキング材６３が取付けられている。すなわち、上側のパネル２１Ｕの下部は、下部クリップ２９ＤによってＴ型アングル１７の上側の辺１７Ｕと硬質パッキング材（ピース）６３を挟むようにして取付けられる。
【００２６】
横目地空間ＨＳの室内側には上記の防風ガスケット４５が設けられ、防風ガスケット４５は上側のパネル２１Ｕの背面下端と上側の辺１７Ｕの間に挟入される。防風ガスケット４５の表面には、さらに室内側の水密性を確保するためのシーリング材６５が打設されている。これにより、上側のパネル２１Ｕの下端を支持するＴ型アングル１７の上面部分が、横目地空間ＨＳを画成するための隔壁として利用され、横目地空間ＨＳにおける等圧空間が簡素な構造で形成可能となっている。
【００２７】
横目地空間ＨＳには、この横目地空間ＨＳを分断する等圧区画ブロック６７が配設される。等圧区画ブロック６７は、等圧空間を一定間隔で区画するため、パネル巾方向の略中央部に配設される。等圧区画ブロック６７は、水平部６７ａの前後端に、垂下片６７ｂと立片６７ｃとを有して形成される。水平部６７ａと垂下片６７ｂの隅部には水かえし板５９の起立先端を嵌入する切欠６７ｄが形成される。等圧区画ブロック６７は、横目地空間ＨＳをパネル２１の中央部ごとに分断する。左右が等圧区画ブロック６７にて分断された横目地空間ＨＳは、左右方向の中央部で上側に延在するパネル一枚分の縦目地空間ＶＳに接続される。なお、図１中、６９は硬質パッキング材、７１はガスケット、７３は耐火充填材を示す。
【００２８】
図６は水切板取付前の分解縦断面図、図７は上側押出成形セメント板取付前の分解縦断面図、図８は等圧区画の形成された押出成形セメント板取付外壁の正面図である。
上記構成の等圧目地構造では、先ず、図６に示すように、下側のパネル２１Ｄが下側クリップ２９Ｕにて取り付けられ、水平板１７Ｖに水切板５３が取り付けられる。次いで、硬質パッキング材６１，６３、パッキング材５５、水かえし板５９、上部小口塞ぎシート５１、防風ガスケット４５が取り付けられる。次いで、等圧区画ブロック６７が水切板５３、水かえし板５９上に所定間隔で設置される。
【００２９】
次いで、図７に示すように、止水部材４３が下面に装着された上側のパネル２１Ｕが上方より下降されて下側のパネル２１Ｄの上端面に載置され、上側の辺１７Ｕに係止した上部クリップ２９Ｕのボルト２７が締められることで、上側のパネル２１Ｕが取付完了される。
【００３０】
このようにして組み付けられた等圧目地構造では、等圧区画ブロック６７によって左右の閉塞された横目地空間ＨＳと、その中央部で接続された上方に延在するパネル一枚分の縦目地空間ＶＳで、図８に示す逆Ｔ字形状の等圧区画７５が画成される。横目地空間ＨＳは、室外側が止水部材４３で覆われるのみで、外気の流通が許容されることから、横目地空間ＨＳ及び縦目地空間ＶＳは外部と等圧となる。つまり、隣り合うパネル２１，２１の横目地空間ＨＳと、縦目地空間ＶＳが一体となって１区画の等圧空間を形成している。
【００３１】
この等圧区画７５により、目地内部は外気圧とほぼ等しい圧力を形成し、雨水の浸入を抑えることができる。つまり、目地内が負圧となることによる雨水の流入が生じない。また、万が一目地内に雨水が流入しても、縦目地空間ＶＳにおいては室内側のシーリング３９、横目地空間ＨＳにおいては室内側の防風ガスケット４５、シーリング材６５により浸入が阻止される。これにより、厚みが薄く等圧空間の確保が困難な押出成形セメント板２１であっても、等圧効果の得られる充分な等圧空間が確保される。
【００３２】
したがって、上記縦張り押出成形セメント板の等圧目地構造によれば、縦目地空間ＶＳをガスケット３７、シーリング３９によりシールするとともに、横目地空間ＨＳを止水部材４３、防風ガスケット４５、シーリング材６５によりシールし、横目地空間底面で開口する中空部２３，２３Ａ及び縦目地空間ＶＳを上部小口塞ぎシート５１、横目地空間上面で開口する中空部２３，２３Ａを下部小口塞ぎシート５７によって塞ぎ、等圧区画ブロック６７を横目地空間ＨＳの巾方向略中央部に配設することで横目地空間ＨＳ及び縦目地空間ＶＳを逆Ｔ字形状の複数の等圧区画７５に画成するので、厚みが薄く等圧空間の確保が困難な押出成形セメント板２１であっても、等圧効果の得られる充分な等圧空間が確保できる。この結果、室外側シーリング再打設の制約を回避（シーリングフリーとし）し、高層建築物に対する適用を実現できる。
【００３３】
また、目地部の室外側には、紫外線での劣化に対して耐久性の高いレインバリアや、ガスケットなどの乾式目地材を用い、劣化の少ない室内側にシーリング材を打設することにより、耐久性の高い目地構造とすることができる。
【図面の簡単な説明】
【００３４】
【図１】本発明に係る等圧目地構造の縦断面図である。
【図２】本発明に係る等圧目地構造の横断面図である。
【図３】異なる巾寸法の押出成形セメント板を（ａ）（ｂ）で示した断面図である。
【図４】止水部材の斜視図である。
【図５】水切板及び等圧区画ブロックの斜視図である。
【図６】水切板取付前の分解縦断面図である。
【図７】上側押出成形セメント板取付前の分解縦断面図である。
【図８】等圧区画の形成された押出成形セメント板取付外壁の正面図である。
【符号の説明】
【００３５】
１１…躯体、１７…Ｔ型アングル（重量受け部材）、１７Ｕ，１７Ｄ…垂直板、１７Ｖ…水平板、２１…押出成形セメント板、２３，２３Ａ…中空部、３７…ガスケット、３９…シーリング、４３…止水部材、４３ａ…室外側の弾性板、４３ｂ…室内側の弾性板、４５…防風ガスケット、４７…外気導入口、５１…上部小口塞ぎシート、５３…水切板、５３ａ…前端、５３ｂ…起立部、５７…下部小口塞ぎシート、５９…水かえし板、６７…等圧区画ブロック、７５…等圧区画、ＶＳ…縦目地空間、ＨＳ…横目地空間
【図１】
0004942632.tif 000002
【図２】
0004942632.tif 000003
【図３】
0004942632.tif 000004
【図４】
0004942632.tif 000005
【図５】
0004942632.tif 000006
【図６】
0004942632.tif 000007
【図７】
0004942632.tif 000008
【図８】
0004942632.tif 000009